(57)【要約】【課題】  メガネフレームの鼻当てパットの取付け構造であって、鼻の高さや形状が違ってもフロント部が所定の位置に保持できる鼻当てパットの取付け構造の提供。【解決手段】  フロント部１の中央に非円形の貫通穴９を形成した台８を設け、該台８の穴９にはシリコンなどの柔らかい樹脂材から成るパット１２裏面から突出した脚１３を嵌めて取付け、パット１２は概略楕円形をなすと共に表面１４は滑らかな凸状曲面を形成し、脚１３は中心から片側へ偏心した位置に設けている。【選択図】    図４
0003115064.tif 000002
【実用新案登録請求の範囲】
【請求項１】
樹脂製メガネフレームの鼻当てパットの取付け構造において、フロント部中央に非円形の貫通穴を形成した台を設け、該台の穴にはシリコンなどの柔らかい樹脂材から成るパット裏面から突出した脚を嵌めて取付け、パットは概略楕円形をなすと共に表面は滑らかな凸状曲面を形成し、脚は中心から片側へ偏心した位置に設けたことを特徴とするメガネフレームの鼻当てパットの取付け構造。
【請求項２】
金属製メガネフレームの鼻当てパットの取付け構造において、フロント部中央から延びる脚の先端に非円形の貫通穴を形成した台を設け、該台の穴にはシリコンなどの柔らかい樹脂材から成るパット裏面から突出した脚を嵌めて取付け、パットは概略楕円形をなすと共に表面は滑らかな凸状曲面を形成し、脚は中心から片側へ偏心した位置に設けたことを特徴とするメガネフレームの鼻当てパットの取付け構造。
【請求項３】
上記パット裏面に突出する脚先端には穴に止着する為の係止部を形成した請求項１、又は請求項２記載のメガネフレームの鼻当てパットの取付け構造。
【考案の詳細な説明】
【技術分野】
【０００１】
本考案はメガネを顔に掛けた場合に、そのフロント部を鼻に当てて支える為の鼻当てパットに関するものである。
【背景技術】
【０００２】
図５は一般的なメガネフレームを示す外観図であり、フロント部(イ)の両側にはツル(ロ)、(ロ)が折畳み出来るように取付けられている。そして、フロント部(イ)のリム(ハ)、(ハ)にはレンズが嵌められ、ツル(リ)、(リ)の先端部は耳に掛けられると共に、フロント部はその中央部に対を成して取付けられている鼻当てパット(二)、(二)が鼻に当って支持される。
【０００３】
鼻当てパット(二)は図６に示すごとく一般に樹脂製で概略小判形を成し、鼻に接する当り面(ホ)は滑らかな曲面となっていて、肌当りを良好ならしめた形状と成っている。そして、肌当りをさらに良くすると共に、メガネを長時間にわたって掛けていても痛みを感じないように、シリコン樹脂製の柔らかい材質を用いることも多い。
【０００４】
鼻当てパットの背面側へは止着部(ヘ)が突出し、この止着部(ヘ)はフロント部(イ)から延びる脚先端に設けている箱にネジ止めされているが、完全固定状態ではなく、鼻当てパット(ニ)の向きが変わり得るように多少のガタ付き（動き）が与えられていて、個人の鼻形状になじむことが出来る。
【０００５】
ところで、人の鼻の形状及び大きさは様々であるが、金属製の鼻当てパットではフロント部(イ)から延びる脚を調整することで、鼻当てパット(ニ)が鼻の両脇に当るようにしている。そこで、フロント部(イ)は所定の位置に保持されるが、樹脂製フレームの場合には金属製フレームに相当する脚を持たないために、鼻当てパットの位置を調整することが出来ない。
【０００６】
実開平５−４１２５号に係る「樹脂製フレーム用鼻当て」は、山形状の樹脂製鼻当てパット部分と樹脂製フレームに固定する為の樹脂製取付け脚部が一体に成形されている。しかし、鼻当てパット部分の調整が出来る構造とは成っていない。実開平７−４１５２２号に係る「眼鏡用ノーズパッド」は、パット本体は左右対称に形成した楕円形板体の背面部に偏心状態に軸部を突設し、そして、該軸部は回転可能な状態にある。
【特許文献１】実開平５−４１２５号に係る「樹脂製フレーム用鼻当て」
【特許文献２】実開平７−４１５２２号に係る「眼鏡用ノーズパッド」
【考案の開示】
【考案が解決しようとする課題】
【０００７】
このように、従来の鼻当てパットの取付け構造には上記のごとき問題がある。本考案が解決しようとする課題はこれら問題点であり、鼻の高さや形状が違ってもフロント部が所定の位置に保持できるメガネフレームの鼻当てパットの取付け構造を提供する。
【課題を解決するための手段】
【０００８】
本考案に係るメガネフレームの鼻当てパットは概略楕円形のパットと脚を有し、脚はパット裏面から突出している。パット表面は滑らかな凸状曲面を形成し、そして脚はパット裏面から突出しているガ、その位置は中心からズレて設けられている。そして、脚はフロント部の台に取付けられるが、台には穴が貫通されていて、該穴には脚が嵌ることが出来る。脚先端には穴から抜けないように係止部を設けている。
【０００９】
しかし、鼻当てパットを取外す際には、該穴から引き抜くことは可能である。鼻当てパットの材質としてはシリコンなどの柔らかい樹脂が用いられ、脚先端に係止部を設けても穴に嵌ることが出来る。本考案が対象とするメガネフレームは樹脂製に限らず、金属製メガネフレームにも適用可能であり、フロント部中央から延びる脚先端に鼻当てパットが取付けられる台を設けることが出来る。
【考案の効果】
【００１０】
本考案の鼻当てパット取付け構造は、パット裏面から突出する脚が中心より偏心している為に、台の穴に脚を嵌めて取付けた場合に、フロント部におけるそのパッドの位置を変えることが出来る。従って、両パット間距離を変更することが出来る為に、鼻の高さや鼻の大きさに応じて鼻当てパットの取付け向きを変えることが可能と成り、フロント部を正しい位置に保持してメガネを掛けることが出来る。鼻当てパットの脚は角形などの非円形断面を成していることで台の穴に嵌ったパットが回転して向きを変えることはなく、又脚先端には太くなった係止部が形成されていることで簡単に外れることはない。
【実施例】
【００１１】
図１は樹脂製メガネフレームを表し、フロント部１と２本のツルを有している。ツル２，２はフロント部の両側に設けられ、蝶番３，３を介して折畳み出来るように取付けられている。フロント部１は樹脂の成形品であり、両リム４，４は連結部５の両側に設けられ、外側にはヨロイ部６，６を設けている。ツル２，２はこのヨロイ部６，６に埋着した蝶片とツル側の蝶片とが軸ネジを介して連結している。
【００１２】
ところで、このフロント部中央には鼻当てパット７，７が取付けられているが、図２はフロント部中央に設けられて該鼻当てパット７，７を取付ける為の台８を示している。台８はアセテートなどの樹脂を材質として、長円形の穴９が貫通して設けられ、これを溶剤にてフロント中央部の所定の位置に対称になるように接着されている。上記穴９の断面はラッパ形状をなし、取付け面１０より背面１１側が大きな長円形の穴と成っている。
【００１３】
図３は鼻当てパット７を表している。鼻当てパット７はパット１２とその裏面に突出する脚１３から成り、脚１３は中心から片側へ位置ズレした位置に設けられている。ここで、パット１２は楕円形とし、その表面１４は滑らかな凸状曲面を有している。楕円形の裏面形状は長軸１５と短軸１６を有し、上記脚１３は長軸１５から所定の距離ａに設けられ、しかも短軸上に位置している。このように中心から偏心した位置に脚１３を突出して設けることで両パット１３，１３間距離が調整可能と成る。
【００１４】
図４(ａ)、(ｂ)は両鼻当てパット７，７の取付け形態を表している。(ａ)はパット１２，１２が外側に位置している場合を、(ｂ)はパット１２，１２が内側に位置している場合を表している。脚１３の断面は長円形を成し、その先端部はテーパー状をなして係止部１７を形成している。すなわち、大きな長円形断面と成っていて、この脚１３は前記図２に示した台８の穴９に嵌って取付けられる。
【００１５】
台８の穴９も背面１１側を大きくした長円形を成していて、脚１３は穴９に嵌合することが出来る。ここで、パット１２及び脚１３は柔らかいシリコン樹脂で構成されている為に、該脚１３は圧縮されて穴９に嵌ることが出来る。そして、一旦嵌った脚１３は大きく成っている先端係止部１７によって外れ落ちることはない。
【００１６】
そこで、脚１３，１３はフロント部１の中央部に設けている台８，８に取付けられるが、この台８，８の穴９，９に嵌る脚１３，１３の向きによって、図４(ａ)、(ｂ)の違いをもたらす。(ａ)の場合には、脚１３をフロント部１の中心側に位置させ、パット１２が外側に位置している。従って、両パット１２，１２間の距離Ａは大きくなる。
【００１７】
一方、(ｂ)では、脚１３をフロント部１の外側に位置させ、パット１２は中心側に位置している。従って、両パット１２，１２間の距離Ｂは小さくなる。このように、脚１３の向きを変えて台８の穴９に嵌めることで、両パット１２，１２間距離を鼻の高さや大きさに応じて２段階に調整でき、メガネを掛けた場合にフロント部１がズレ下がることなく保持される。
【００１８】
ところで、実施例は樹脂製フレームについて説明したが、金属製の場合にも適用することは可能である。金属製メガネフレームのフロント部では、連結部材から延びる脚の先端に台を設け、該台に同じ鼻当てパット７を取付けることが出来る。
【図面の簡単な説明】
【００１９】
【図１】本考案の鼻当てパット取付け構造を用いた樹脂製メガネフレーム。
【図２】鼻当てパットを取付ける為の台。
【図３】鼻当てパットの具体例。
【図４】台の穴に嵌る脚の向きによるパットの位置。
【図５】従来の一般的な金属製メガネフレーム。
【図６】従来の鼻当てパット。
【符号の説明】
【００２０】
１  フロント部
２  ツル
３  蝶番
４  リム
５  連結部
６  ヨロイ部
７  鼻当てパット
８  台
９  穴
10  取付け面
11  背面
12  パット
13  脚
14  表面
15  長軸
16  短軸
17  係止部
【図１】
0003115064.tif 000003
【図２】
0003115064.tif 000004
【図３】
0003115064.tif 000005
【図４】
0003115064.tif 000006
【図５】
0003115064.tif 000007
【図６】
0003115064.tif 000008